(57)【要約】      （修正有）【課題】遮蔽体の巻取パイプへの逆巻きを防止するとともに、遮蔽体の下端を把持して僅かに引下げても、巻取パイプの一時的な固定の意図しない解除を防止する。【解決手段】遮蔽体２２を巻取パイプ１１，１２に巻取るための付勢力を巻取ばね３１，３２に蓄え、単一の操作チェーン１４と巻取パイプの間に回転伝達切換装置を設け、回転伝達切換装置と巻取パイプの間にトルクリミッタを設ける。操作チェーンの一方への引下げ時にトルクリミッタにより操作チェーンの操作力が巻取パイプに伝達されて遮蔽体が繰出され、遮蔽体が巻取パイプから全て繰出された状態から更に操作チェーンの一方への引下げ時に、トルクリミッタに滑りが発生し、操作チェーンの操作力が巻取パイプに伝達されない。また、遮蔽体を把持した引下げ時に、トルクリミッタが空転して巻取パイプの回転力が回転伝達切換装置に伝達されない。【選択図】図１
2018066233.tif 000002
【特許請求の範囲】
【請求項１】
壁、窓枠又は天井に回転可能に取付けられた巻取パイプと、この巻取パイプに上縁が固定され前記巻取パイプに繰出し可能に巻取られる遮蔽体と、前記巻取パイプに内蔵され前記遮蔽体を前記巻取パイプに巻取る方向に前記巻取パイプを回転させるための付勢力が蓄えられた巻取ばねと、前記巻取パイプを正転又は逆転させて前記遮蔽体を繰出し又は巻取るために操作される単一の操作チェーンと、前記操作チェーンと前記巻取パイプとの間に設けられ前記操作チェーンの一方又は他方への引下げ操作時にこの操作力を前記巻取パイプに伝達しかつ前記操作チェーンの他方又は一方への引下げ操作時にこの操作力を前記巻取パイプに伝達しないクラッチ機能を有する回転伝達切換装置とを備え、
前記回転伝達切換装置が、前記クラッチ機能に加えて、前記操作チェーンの一方又は他方への引下げ操作の停止により前記巻取パイプをその位置に一時的に固定するロック機能と、前記操作チェーンの一方又は他方への僅かな引下げ操作により前記一時的な固定を解除するロック解除機能とを更に有するように構成されたロールスクリーンにおいて、
前記回転伝達切換装置から前記巻取パイプへの一方の回転に対して所定値未満のトルクを伝達しかつ他方の回転に対して空転するトルクリミッタが設けられ、
前記操作チェーンの一方又は他方への引下げ操作時に前記回転伝達切換装置から前記巻取パイプに所定値未満のトルクが作用し前記操作チェーンの操作力が前記トルクリミッタにより前記巻取パイプに伝達されて前記遮蔽体が前記巻取パイプから繰出され、
前記遮蔽体が前記巻取パイプから全て繰出された状態から更に前記操作チェーンの一方又は他方への引下げ操作を行ったときに、前記回転伝達切換装置から前記巻取パイプに所定値以上のトルクが作用して前記トルクリミッタに滑りが発生し、前記操作チェーンの操作力が前記トルクリミッタにより前記巻取パイプに伝達されないように構成され、
前記遮蔽体の下端を把持して僅かに引下げたときに、前記トルクリミッタが空転して前記巻取パイプの回転力が前記回転伝達切換装置に伝達されないように構成された
ことを特徴とするロールスクリーン。
【請求項２】
前記巻取パイプが互いに平行に設けられた第１及び第２巻取パイプからなり、
前記遮蔽体が前記第１及び第２巻取パイプにそれぞれ取付けられた第１及び第２遮蔽体からなり、
前記巻取ばねが前記第１及び第２巻取パイプにそれぞれ内蔵された第１及び第２巻取ばねからなり、
前記回転伝達切換装置が、前記操作チェーンと前記第１巻取パイプとの間に設けられ前記操作チェーンの一方への引下げ操作時にこの操作力を前記第１巻取パイプに伝達しかつ前記操作チェーンの他方への引下げ操作時にこの操作力を前記第１巻取パイプに伝達しないクラッチ機能を有する第１回転伝達切換装置と、前記操作チェーンと前記第２巻取パイプとの間に設けられ前記操作チェーンの他方への引下げ操作時にこの操作力を前記第２巻取パイプに伝達しかつ前記操作チェーンの一方への引下げ操作時にこの操作力を前記第２巻取パイプに伝達しないクラッチ機能を有する第２回転伝達切換装置とからなり、
前記第１回転伝達切換装置が、前記クラッチ機能に加えて、前記操作チェーンの一方への引下げ操作の停止により前記第１巻取パイプをその位置に一時的に固定するロック機能と、前記操作チェーンの一方への僅かな引下げ操作により前記一時的な固定を解除するロック解除機能とを更に有し、
前記第２回転伝達切換装置が、前記クラッチ機能に加えて、前記操作チェーンの他方への引下げ操作の停止により前記第２巻取パイプをその位置に一時的に固定するロック機能と、前記操作チェーンの他方への僅かな引下げ操作により前記一時的な固定を解除するロック解除機能とを更に有し、
前記トルクリミッタが、前記第１回転伝達切換装置と前記第１巻取パイプとの間に設けられた第１トルクリミッタと、前記第２回転伝達切換装置と前記第２巻取パイプとの間に設けられトルクの発生する回転方向を前記第１トルクリミッタと逆にした第２トルクリミッタとからなる請求項１記載のロールスクリーン。
【請求項３】
前記第１トルクリミッタと前記第２トルクリミッタが同一形状に形成され、
前記第１及び第２トルクリミッタが、外輪部と、この外輪部に相対回転可能に挿入された内輪部と、前記外輪部及び前記内輪部間に介装されかつ所定値のトルクを発生させるトルク発生部と、前記内輪部の前記外輪部に対する一方への相対回転を許容しかつ他方への相対回転を阻止するクラッチ部とをそれぞれ有し、
前記外輪部が前記第１又は第２巻取パイプに固定されかつ前記内輪部が前記第１又は第２回転伝達切換装置に連結された請求項２記載のロールスクリーン。
【発明の詳細な説明】
【技術分野】
【０００１】
本発明は、巻取パイプに内蔵された巻取ばねに蓄えられた付勢力によって遮蔽体を巻取り可能なロールスクリーンに関する。更に詳しくは、２本の巻取パイプからそれぞれ垂下された２枚の遮蔽体を単一の操作チェーンにより昇降させるのに好適なロールスクリーンに関するものである。
【背景技術】
【０００２】
従来、操作装置と取付ブラケットとの間に回転可能に支持される巻取パイプから遮蔽体を垂下し、操作装置から垂下される操作チェーンの操作に基づいて遮蔽体を昇降するロールブラインドの操作装置が開示されている（例えば、特許文献１参照。）。このロールブラインドの操作装置では、遮蔽体の巻取パイプからの繰出し時及び繰出しに続く逆巻き時に、巻取パイプに作用する回転トルクの増大に基づいて空回りして、操作チェーンの操作力が巻取パイプに伝達されないように構成される。また、正逆いずれの回転方向に対しても同一の伝達トルク制限機能を備えたトルクリミッタが、巻取パイプの端部に取付けられるパイプキャップに内蔵される。このように構成されたロールブラインドの操作装置では、スクリーンの巻取軸への逆巻きを防止して、操作装置での故障の発生を未然に防止し得るとともに、部品点数を削減できる。
【０００３】
上記ロールブラインドの操作装置はダブルロールブラインドに用いることが好ましい。具体的には、ダブルロールブラインドは、フレームの一端に取付けられる操作装置と、フレームの他端に取付けられる取付ブラケットとの間に、ロア巻取パイプ及びアッパ巻取パイプが回転可能にそれぞれ支持される。また、ロア巻取パイプ及びアッパ巻取パイプは、前後方向及び上下方向にずらして支持され、下方かつ後方に位置するロア巻取パイプから後方遮蔽体が吊下支持され、上方かつ前方に位置するアッパ巻取パイプから前方遮蔽体が後方遮蔽体の前方に吊下支持される。更に、操作装置のケース内にはプーリが回転可能に支持され、このプーリに無端状の操作チェーンが掛け渡される。
【０００４】
このように構成されたダブルロールブラインドの操作装置では、プーリから室外側に垂下される操作チェーンを下方へ引くと、ロア巻取パイプのクラッチ装置の作用によりロア巻取パイプが後方遮蔽体の繰出し方向に回転され、後方遮蔽体が下降する。このとき、ロア巻取パイプ内のクラッチ装置の作用により、ロア巻取パイプは回転されない。また、ロア巻取パイプを後方遮蔽体の繰出し方向に回転させると、ロア巻取パイプ内の巻取ばねに付勢力が蓄えられる。後方遮蔽体を所望高さまで下降させた後、操作チェーンを手放すと、ロア巻取パイプ内のストッパ装置の作用により巻取ばねの付勢力による後方遮蔽体の引上げが阻止される。後方遮蔽体を引上げるには、室外側に垂下される操作チェーンを下方へ僅かに引下げるとストッパ装置の作動が解除され、この状態で操作チェーンを手放すと、巻取ばねの付勢力により後方遮蔽体が上限まで引上げられる。更に、プーリから室内側に垂下される操作チェーンを操作すると、アッパ巻取パイプを操作して前方遮蔽体の昇降操作が可能であり、その動作はロア巻取パイプの場合と同様である。
【０００５】
なお、ロア巻取パイプから後方遮蔽体を繰出すとき、トルクリミッタに作用するトルクは、巻取ばねに付勢力を蓄えるために要するトルクから、後方遮蔽体の重量に基づいてロア巻取パイプに作用するトルクを差引いた値となる。この状態では、トルクリミッタに空回りが生ずることはなく、操作チェーンの操作によりクラッチ装置及びトルクリミッタを介してロア巻取パイプが回転する。一方、ロア巻取パイプから後方遮蔽体が全て繰出された後、操作チェーンを更に同方向へ操作すると、後方遮蔽体がロア巻取パイプに逆巻きされようとする。このとき、トルクリミッタに作用するトルクは、巻取ばねに付勢力を蓄えるために要するトルクと、後方遮蔽体の重量に基づいてロア巻取パイプに作用するトルクとの総和となる。この状態では、トルクリミッタで空回りが生じるため、ロア巻取パイプに対する後方遮蔽体の逆巻きが防止される。
【先行技術文献】
【特許文献】
【０００６】
【特許文献１】特開２０１３−２１３３９１号公報（請求項１、段落［００２２］、［００２４］〜［００２６］、［００８２］〜［００８７］、図１〜図５）
【発明の概要】
【発明が解決しようとする課題】
【０００７】
しかし、上記従来の特許文献１に示されたロールブラインドの操作装置では、後方遮蔽体又は前方遮蔽体の下端のウエイトバーを把持して引下げると、ロア巻取パイプ又はアッパ巻取パイプの一時的な固定が意図せずに解除されてしまい、後方遮蔽体又は前方遮蔽体から手を放すと、後方遮蔽体又は前方遮蔽体が巻取ばねの付勢力によりロア巻取パイプ又はアッパ巻取パイプに巻取られてしまう不具合があった。
【０００８】
本発明の目的は、遮蔽体の巻取パイプへの逆巻きを防止できるとともに、遮蔽体の下端を把持して僅かに引下げても、巻取パイプの一時的な固定の意図しない解除を防止できる、ロールスクリーンを提供することにある。
【課題を解決するための手段】
【０００９】
本発明の第１の観点は、図１〜図４に示すように、壁１３、窓枠又は天井に回転可能に取付けられた巻取パイプ１１，１２と、巻取パイプ１１，１２に上縁が固定され巻取パイプ１１，１２に繰出し可能に巻取られる遮蔽体２１，２２と、巻取パイプ１１，１２に内蔵され遮蔽体２１，２２を巻取パイプ１１，１２に巻取る方向に巻取パイプ１１，１２を回転させるための付勢力が蓄えられた巻取ばね３１，３２と、巻取パイプ１１，１２を正転又は逆転させて遮蔽体２１，２２を繰出し又は巻取るために操作される単一の操作チェーン１４と、操作チェーン１４と巻取パイプ１１，１２との間に設けられ操作チェーン１４の一方又は他方への引下げ操作時にこの操作力を巻取パイプ１１，１２に伝達しかつ操作チェーン１４の他方又は一方への引下げ操作時にこの操作力を巻取パイプ１１，１２に伝達しないクラッチ機能を有する回転伝達切換装置４１，４２とを備え、回転伝達切換装置４１，４２が、クラッチ機能に加えて、操作チェーン１４の一方又は他方への引下げ操作の停止により巻取パイプ１１，１２をその位置に一時的に固定するロック機能と、操作チェーン１４の一方又は他方への僅かな引下げ操作により上記一時的な固定を解除するロック解除機能とを更に有するように構成されたロールスクリーン１０において、回転伝達切換装置４１，４２から巻取パイプ１１，１２への一方の回転に対して所定値未満のトルクを伝達しかつ他方の回転に対して空転するトルクリミッタ１２０が設けられ、操作チェーン１４の一方又は他方への引下げ操作時に回転伝達切換装置４１，４２から巻取パイプ１１，１２に所定値未満のトルクが作用し操作チェーン１４の操作力がトルクリミッタ１２０により巻取パイプ１１，１２に伝達されて遮蔽体２１，２２が巻取パイプ１１，１２から繰出され、遮蔽体２１，２２が巻取パイプ１１，１２から全て繰出された状態から更に操作チェーン１４の一方又は他方への引下げ操作を行ったときに、回転伝達切換装置４１，４２から巻取パイプ１１，１２に所定値以上のトルクが作用してトルクリミッタ１２０に滑りが発生し、操作チェーン１４の操作力がトルクリミッタ１２０により巻取パイプ１１，１２に伝達されないように構成され、遮蔽体２１，２２の下端を把持して僅かに引下げたときに、トルクリミッタ１２０が空転して巻取パイプ１１，１２の回転力が回転伝達切換装置４１，４２に伝達されないように構成されたことを特徴とする。
【００１０】
本発明の第２の観点は、第１の観点に基づく発明であって、更に図１〜図４に示すように、巻取パイプが互いに平行に設けられた第１及び第２巻取パイプ１１，１２からなり、遮蔽体が第１及び第２巻取パイプ１１，１２にそれぞれ取付けられた第１及び第２遮蔽体２１，２２からなり、巻取ばねが第１及び第２巻取パイプ１１，１２にそれぞれ内蔵された第１及び第２巻取ばね３１，３２からなり、回転伝達切換装置が、操作チェーン１４と第１巻取パイプ１１との間に設けられ操作チェーン１４の一方への引下げ操作時にこの操作力を第１巻取パイプ１１に伝達しかつ操作チェーン１４の他方への引下げ操作時にこの操作力を第１巻取パイプ１１に伝達しないクラッチ機能を有する第１回転伝達切換装置４１と、操作チェーン１４と第２巻取パイプ１２との間に設けられ操作チェーン１４の他方への引下げ操作時にこの操作力を第２巻取パイプ１２に伝達しかつ操作チェーン１４の一方への引下げ操作時にこの操作力を第２巻取パイプ１２に伝達しないクラッチ機能を有する第２回転伝達切換装置４２とからなり、第１回転伝達切換装置４１が、クラッチ機能に加えて、操作チェーン１４の一方への引下げ操作の停止により第１巻取パイプ１１をその位置に一時的に固定するロック機能と、操作チェーン１４の一方への僅かな引下げ操作により上記一時的な固定を解除するロック解除機能とを更に有し、第２回転伝達切換装置４２が、クラッチ機能に加えて、操作チェーン１４の他方への引下げ操作の停止により第２巻取パイプ１２をその位置に一時的に固定するロック機能と、操作チェーン１４の他方への僅かな引下げ操作により上記一時的な固定を解除するロック解除機能とを更に有し、トルクリミッタ１２０が、第１回転伝達切換装置４１と第１巻取パイプ１１との間に設けられた第１トルクリミッタ１２１と、第２回転伝達切換装置４２と第２巻取パイプ１２との間に設けられトルクの発生する回転方向を第１トルクリミッタ１２１と逆にした第２トルクリミッタ１２２とからなることを特徴とする。
【００１１】
本発明の第３の観点は、第２の観点に基づく発明であって、更に図１、図４及び図５に示すように、第１トルクリミッタ１２１と第２トルクリミッタ１２２が同一形状に形成され、第１及び第２トルクリミッタ１２１，１２２が、外輪部１２３と、この外輪部１２３に相対回転可能に挿入された内輪部１２４と、外輪部１２３及び内輪部１２４間に介装されかつ所定値のトルクを発生させるトルク発生部１２５と、内輪部１２３の外輪部１２４に対する一方への相対回転を許容しかつ他方への相対回転を阻止するクラッチ部１２６とをそれぞれ有し、外輪部１２３が第１巻取パイプ１１又は第２巻取パイプ１２に固定されかつ内輪部１２４が第１回転伝達切換装置４１又は第２回転伝達切換装置４２に連結されたことを特徴とする。
【発明の効果】
【００１２】
本発明の第１の観点のロールスクリーンでは、回転伝達切換装置から巻取パイプへの一方の回転に対して所定値のトルクが作用しかつ他方の回転に対して空転するトルクリミッタを設けたので、操作チェーンを一方又は他方に引下げ操作すると、回転伝達切換装置から巻取パイプに所定値未満のトルクを伝達し操作チェーンの操作力がトルクリミッタにより巻取パイプに伝達されて、遮蔽体が巻取パイプから繰出される。そして、引下げ操作を停止した位置で遮蔽体が回転伝達切換装置のロック機能により一時的に固定される。また、遮蔽体が巻取パイプから全て繰出された状態から更に操作チェーンを一方又は他方に引下げ操作すると、回転伝達切換装置から巻取パイプに所定値以上のトルクが作用してトルクリミッタに滑りが発生するので、操作チェーンの操作力が巻取パイプに伝達されない。更に、遮蔽体の下端を把持して、特に途中まで繰出された遮蔽体の下端を把持して僅かに引下げても、トルクリミッタが空転するので、回転伝達切換装置の一時的な固定を解除するロック解除機能が作動せず、巻取パイプの回転力が回転伝達切換装置に伝達されない。従って、遮蔽体の巻取パイプへの逆巻きを防止できるとともに、遮蔽体の下端を把持して僅かに引下げても、巻取パイプの一時的な固定の意図しない解除を防止できる。
【００１３】
本発明の第２の観点のロールスクリーンでは、トルクリミッタが、第１回転伝達切換装置と第１巻取パイプとの間に設けられた第１トルクリミッタと、第２回転伝達切換装置と第２巻取パイプとの間に設けられトルクの発生する回転方向を第１トルクリミッタと逆にした第２トルクリミッタとからなるので、操作チェーンを一方に引下げ操作すると、第１回転伝達切換装置から第１巻取パイプに所定値未満のトルクが作用し操作チェーンの操作力が第１トルクリミッタにより第１巻取パイプに伝達されて、第１遮蔽体が第１巻取パイプから繰出される。そして、引下げ操作を停止した位置で第１遮蔽体が第１回転伝達切換装置のロック機能により一時的に固定される。また、第１遮蔽体が第１巻取パイプから全て繰出された状態から更に操作チェーンを一方に引下げ操作すると、第１回転伝達切換装置から第１巻取パイプに所定値以上のトルクが作用して第１トルクリミッタに滑りが発生するので、操作チェーンの操作力が第１トルクリミッタにより第１巻取パイプに伝達されない。更に、第１遮蔽体の下端を把持して、特に途中まで繰出された第１遮蔽体の下端を把持して僅かに引下げても、第１トルクリミッタが空転するので、第１回転伝達切換装置の一時的な固定を解除するロック解除機能が作動せず、第１巻取パイプの回転力が第１回転伝達切換装置に伝達されない。従って、第１遮蔽体の第１巻取パイプへの逆巻きを防止できるとともに、第１遮蔽体の下端を把持して僅かに引下げても、第１巻取パイプの一時的な固定の意図しない解除を防止できる。
【００１４】
一方、操作チェーンを他方に引下げ操作すると、第２回転伝達切換装置から第２巻取パイプに所定値未満のトルクを伝達し操作チェーンの操作力が第２トルクリミッタにより第２巻取パイプに伝達されて、第２遮蔽体が第２巻取パイプから繰出される。そして、引下げ操作を停止した位置で第２遮蔽体が第２回転伝達切換装置のロック機能により一時的に固定される。また、第２遮蔽体が巻取パイプから全て繰出された状態から更に操作チェーンを他方に引下げ操作すると、第２回転伝達切換装置から第２巻取パイプに所定値以上のトルクが作用して第２トルクリミッタに滑りが発生するので、操作チェーンの操作力が第２トルクリミッタにより第２巻取パイプに伝達されない。更に、第２遮蔽体の下端を把持して、特に途中まで繰出された第２遮蔽体の下端を把持して僅かに引下げても、第２トルクリミッタが空転するので、第２回転伝達切換装置の一時的な固定を解除するロック解除機能が作動せず、第２巻取パイプの回転力が第２回転伝達切換装置に伝達されない。従って、第２遮蔽体の第２巻取パイプへの逆巻きを防止できるとともに、第２遮蔽体の下端を把持して僅かに引下げても、第２巻取パイプの一時的な固定の意図しない解除を防止できる。
【００１５】
本発明の第３の観点のロールスクリーンでは、第１トルクリミッタと第２トルクリミッタを同一形状に形成し、第１トルクリミッタの外輪部を第１巻取パイプに固定しかつ内輪部を第１回転伝達切換装置に連結するとともに、第２トルクリミッタの外輪部を第２巻取パイプに固定しかつ内輪部を第２回転伝達切換装置に連結したので、トルクリミッタは１種類で済む。この結果、部品点数を低減できるので、部品管理を容易にすることができる。
【図面の簡単な説明】
【００１６】
【図１】本発明実施形態のロールスクリーンを示す図２のＡ−Ａ線断面図である。
【図２】図１のＢ−Ｂ線断面図である。
【図３】ギヤケースからプーリカバーを取外した状態を示す図１のＣ矢視図である。
【図４】ブラケット、巻取パイプ及び巻取ばねを除いた状態を示す図３のＤ−Ｄ線断面図である。
【図５】図６のＥ−Ｅ線断面図である。
【図６】第１及び第２トルクリミッタの斜視図である。
【図７】図４のＦ−Ｆ線断面図である。
【図８】図４のＧ−Ｇ線断面図である。
【図９】第１回転伝達切換装置の円筒カムの展開図である。
【図１０】第２回転伝達切換装置の円筒カムの展開図である。
【発明を実施するための形態】
【００１７】
次に本発明を実施するための形態を図面に基づいて説明する。図１及び図２に示すように、ロールスクリーン１０は、壁１３に回転可能に取付けられた巻取パイプ１１，１２と、巻取パイプ１１，１２に上縁が固定された遮蔽体２１，２２と、巻取パイプ１１，１２に内蔵された巻取ばね３１，３２と、巻取パイプ１１，１２を正転又は逆転させる単一の操作チェーン１４と、操作チェーン１４と巻取パイプ１１，１２との間に設けられた回転伝達切換装置４１，４２とを備える。巻取パイプは、この実施の形態では、互いに平行に設けられた第１及び第２巻取パイプ１１，１２からなる。第１及び第２巻取パイプ１１，１２は、一対の支持部材１５，１６、カバー型セットバー１７及びブラケット１８を介して壁１３に回転可能に取付けられる。また、遮蔽体は、この実施の形態では、第１及び第２巻取パイプ１１，１２にそれぞれ取付けられた第１及び第２遮蔽体２１，２２からなる。第１及び第２遮蔽体２１，２２の上端は第１及び第２巻取パイプ１１，１２にそれぞれ固定され、第１及び第２遮蔽体２１，２２は第１及び第２巻取パイプ１１，１２にそれぞれ繰出し可能に巻取られる。更に、第１巻取パイプ１１は一対の支持部材１５，１６の上部であって僅かに室内側に寄った位置に取付けられ、第２巻取パイプ１２は一対の支持部材１５，１６の下部であって僅かに窓側に寄った位置に取付けられる。そして、第１遮蔽体２１は第１巻取パイプ１１の室内側の面から垂下され、第２遮蔽体２２は第２巻取パイプ１２の窓側の面から垂下される。
【００１８】
巻取ばねは、この実施の形態では、第１及び第２巻取パイプ１１，１２にそれぞれ内蔵された第１及び第２巻取ばね３１，３２からなる（図１）。第１及び第２巻取ばね３１，３２は第１及び第２巻取パイプ１１，１２にそれぞれ内蔵され、第１及び第２巻取ばね３１，３２には第１及び第２遮蔽体２１，２２を第１及び第２巻取パイプ１１，１２に巻取る方向に第１及び第２巻取パイプ１１，１２を回転させるための付勢力がそれぞれ蓄えられる。また、単一の操作チェーン１４は、第１及び第２遮蔽体２１，２２をそれぞれ繰出し又は巻取るために操作される。操作チェーン１４は駆動ギヤ２３が一体的に設けられたプーリ２４に巻き掛けられ、駆動ギヤ２３はギヤケース２６に挿入される（図３及び図４）。このギヤケース２６には、上記駆動ギヤ２３と、この駆動ギヤ２３に噛合する中間ギヤ２７と、この中間ギヤ２７に噛合する第１及び第２従動ギヤ５１，５２とがそれぞれ回転可能に収容される。上記ギヤケース２６にはプーリ２４を収容するプーリカバー２８が取付けられ、これらのギヤケース２６及びプーリカバー２８により一方の支持部材１５が構成される。
【００１９】
一方、回転伝達切換装置は、この実施の形態では、操作チェーン１４と第１巻取パイプ１１との間に設けられた第１回転伝達切換装置４１と、操作チェーン１４と第２巻取パイプ１２との間に設けられた第２回転伝達切換装置４２からなる（図１及び図４）。第１回転伝達切換装置４１は、操作チェーン１４の一方（図３の実線矢印の方向）への引下げ操作時にこの操作力を第１巻取パイプ１１に伝達しかつ操作チェーン１４の他方への引下げ操作時にこの操作力を第１巻取パイプ１１に伝達しないクラッチ機能と、操作チェーン１４の一方への引下げ操作の停止により第１巻取パイプ１１をその位置に一時的に固定するロック機能と、操作チェーン１４の一方への僅かな引下げ操作により上記一時的な固定を解除するロック解除機能とを有する。即ち、第１回転伝達切換装置４１は、上記クラッチ機能を発揮する第１クラッチ部６１と、上記ロック機能及びロック解除機能を発揮する第１ストッパ部７１と、第１中間軸８１及び第１ストッパ部７１間に設けられ操作チェーン１４の一方への引下げ操作時に第１中間軸８１及び第１ストッパ部７１間に比較的小さいトルクを発生させる第１トルク発生部９１とを有する（図３及び図４）。なお、上記第１中間軸８１は第１従動ギヤ５１に第１クラッチ部６１を介して連結される。
【００２０】
第１クラッチ部６１は、図示しないが、第１従動ギヤ５１とともに回転可能に構成され第１中間軸８１を挿通可能な第１クラッチ用外輪と、第１中間軸８１の外周面に接する円柱状の複数の第１クラッチ用ローラと、複数の第１クラッチ用ローラを第１クラッチ用外輪の中にそれぞれ収容する複数の第１ローラ収容空間と、薄い金属ばね材を一体成型することにより形状された第１クラッチ用板ばねとを有する。複数の第１クラッチ用ローラは複数の第１ローラ収容空間内を第１クラッチ用外輪の円周方向に移動することにより、第１中間軸８１の第１クラッチ用外輪に対する相対回転を不能にするか、或いは第１中間軸８１の第１クラッチ用外輪に対する相対回転を可能にして第１クラッチ部６１を空転させるように構成される。具体的には、第１クラッチ用外輪が一方に回転すると、複数の第１クラッチ用ローラが第１クラッチ用外輪と第１中間軸８１との相対回転を不能にして第１中間軸８１が第１クラッチ用外輪とともに一方に回転し、第１クラッチ用外輪が他方に回転すると、複数の第１クラッチ用ローラが第１クラッチ用外輪と第１中間軸８１との相対回転を可能にして第１中間軸８１が第１クラッチ用外輪とともに回転せず第１クラッチ部６１を空転させるように構成される。但し、第１クラッチ用外輪が他方に回転すると、接触抵抗により極めて小さいトルクで第１中間軸８１が第１クラッチ用外輪とともに回転するけれども、後述の第１ストッパ部７１の第１転動体７１ｅが第１逆転阻止用ポケット７１ｈに収容されたときに第１中間軸８１は停止する。
【００２１】
第１ストッパ部７１は、操作チェーン１４の一方への僅かな操作により第１遮蔽体２１を下降状態又は停止状態に切換えるように構成される（図３及び図４）。具体的には、第１ストッパ部７１は、第１トルク発生部９１に嵌入され外周面に第１カム溝７１ｂが形成された第１円筒カム７１ａと、この第１円筒カム７１ａを収容するようにギヤケース２６の上部にこのギヤケース２６と一体的に設けられ第１中間軸８１の軸方向に延びる第１ガイド溝７１ｄが形成された第１カム用ケース７１ｃと、第１カム溝７１ｂと第１ガイド溝７１ｄとの重なる空間内を転動する単一の第１転動体７１ｅとを有する（図４）。第１カム溝７１ｂは、図９に詳しく示すように、第１円筒カム７１ａの外周面に第１円筒カム７１ａの円周方向に傾斜及び湾曲しながら延びて形成された無端の第１溝部７１ｆと、この第１溝部７１ｆの途中に形成され第１円筒カム７１ａの一方の回転（図９の実線矢印の方向への回転：正転）を阻止する第１正転阻止用ポケット７１ｇと、第１溝部７１ｆの途中であって第１正転阻止用ポケット７１ｇに近接しかつ斜めに対向するように形成され第１円筒カム７１ａの他方の回転（図９の破線矢印の方向への回転：逆転）を阻止する第１逆転阻止用ポケット７１ｈと、第１逆転阻止用ポケット７１ｈに隣接しかつ第１逆転阻止用ポケット７１ｈより深く第１円筒カム７１ａの右端に向って傾斜して形成された第１スライド用ポケット７１ｉとを有する。
【００２２】
第１トルク発生部９１は、第１中間軸８１に相対回転不能に嵌入されかつ第１円筒カム７１ａが相対回転可能に嵌入された第１内輪部９１ａと、この第１内輪部９１ａに嵌入された第１捩りコイルばね９１ｂとを有する（図４）。第１円筒カム７１ａの内径は、第１捩りコイルばね９１ｂの外径より僅かに大きく形成され、第１内輪部９１ａの外径は、捩り荷重が掛かっていない状態の第１捩りコイルばね９１ｂの内径より僅かに大きく形成される。これにより第１捩りコイルばね９１ｂを第１内輪部９１ａの外周面に嵌入したときに、第１捩りコイルばね９１ｂが第１内輪部９１ａの外周面に適度の締付け力を与えるようになっている。また、第１捩りコイルばね９１ｂの両端をこのばねの半径方向外側に折曲げることにより、第１捩りコイルばね９１ｂの両端に一対のフック（図示せず）がそれぞれ形成され、これらのフックは、第１円筒カム７１ａの内周面に形成された一対の被係止部（図示せず）にそれぞれ係止される。更に、第１内輪部９１ａ及び第１円筒カム７１ａ間に形成され第１捩りコイルばね９１ｂが収容された第１ばね収容空間９１ｃには、グリース等の潤滑剤が充填される。この潤滑剤は第１内輪部９１ａと第１捩りコイルばね９１ｂとの間の滑りを略一定に保つため、即ち第１円筒カム７１ａ及び第１内輪部９１ａ間のトルクを所定値に保つために充填される。第１円筒カム７１ａ及び第１内輪部９１ａ間のトルクは、この実施の形態では、第１遮蔽体２１を巻取る方向に第１巻取パイプ１１が回転するように第１巻取ばね３１が一定の荷重で付勢した状態で、第１遮蔽材２１及び第１ウエイトバー１０１の自重により第１遮蔽体２１が第１巻取パイプ１１から繰出されるのを阻止する値に設定される。
【００２３】
第２回転伝達切換装置４２は、操作チェーン１４の他方（図３の破線矢印の方向）への引下げ操作時にこの操作力を第２巻取パイプ１２に伝達しかつ操作チェーン１４の一方への引下げ操作時にこの操作力を第２巻取パイプ１２に伝達しないクラッチ機能と、操作チェーン１４の他方への引下げ操作の停止により第２巻取パイプ１２をその位置に一時的に固定するロック機能と、操作チェーン１４の他方への僅かな引下げ操作により上記一時的な固定を解除するロック解除機能とを有する。即ち、第２回転伝達切換装置４２は、上記クラッチ機能を発揮する第２クラッチ部６２と、上記ロック機能及びロック解除機能を発揮する第２ストッパ部７２と、第２中間軸８２及び第２ストッパ部７２間に設けられ操作チェーン１４の他方への引下げ操作時に第２中間軸８２及び第２ストッパ部７２間に比較的小さいトルクを発生させる第２トルク発生部９２とを有する。なお、上記第２中間軸８２は第２従動ギヤ５２に第２クラッチ部６２を介して連結される（図３及び図４）。
【００２４】
第２クラッチ部６２は、図示しないが、第２従動ギヤ５２とともに回転可能に構成され第２中間軸８２を挿通可能な第２クラッチ用外輪と、第２中間軸８２の外周面に接する円柱状の複数の第２クラッチ用ローラと、複数の第２クラッチ用ローラを第２クラッチ用外輪の中にそれぞれ収容する複数の第２ローラ収容空間と、薄い金属ばね材を一体成型することにより形状された第２クラッチ用板ばねとを有する。複数の第２クラッチ用ローラは複数の第２ローラ収容空間内を第２クラッチ用外輪の円周方向に移動することにより、第２中間軸８２の第２クラッチ用外輪に対する相対回転を不能にするか、或いは第２中間軸８２の第２クラッチ用外輪に対する相対回転を可能にして第２クラッチ部６２を空転させるように構成される。具体的には、第２クラッチ用外輪が他方に回転すると、複数の第２クラッチ用ローラが第２クラッチ用外輪と第２中間軸８２との相対回転を不能にして第２中間軸８２が第２クラッチ用外輪とともに一方に回転し、第２クラッチ用外輪が一方に回転すると、複数の第２クラッチ用ローラが第２クラッチ用外輪と第２中間軸８２との相対回転を可能にして第２中間軸８２が第２クラッチ用外輪とともに回転せず第２クラッチ部６２が空転するように構成される。但し、第２クラッチ用外輪が一方に回転すると、接触抵抗により極めて小さいトルクで第２中間軸８２が第２クラッチ用外輪とともに回転するけれども、後述の第２ストッパ部７２の第２転動体７２ｅが第２逆転阻止用ポケット７２ｈに収容されたときに第２中間軸８２は停止する。
【００２５】
第２ストッパ部７２は、操作チェーン１４の他方への僅かな操作により第２遮蔽体２１を下降状態又は停止状態に切換えるように構成される（図３及び図４）。具体的には、第２ストッパ部７２は、後述の第２トルク発生部９２に嵌入され外周面に第２カム溝７２ｂが形成された第２円筒カム７２ａと、この第２円筒カム７２ａを収容するようにギヤケース２６の下部にこのギヤケース２６と一体的に設けられ第２中間軸８２の軸方向に延びる第２ガイド溝７２ｄが形成された第２カム用ケース７２ｃと、第２カム溝７２ｂと第２ガイド溝７２ｄとの重なる空間内を転動する第２転動体７２ｅとを有する（図４）。第２カム溝７２ｂは、図１０に詳しく示すように、第２円筒カム７２ａの外周面に第２円筒カム７２ａの円周方向に傾斜及び湾曲しながら延びて形成された無端の第２溝部７２ｆと、この第２溝部７２ｆの途中に形成され第２円筒カム７２ａの他方の回転（図１０の破線矢印の方向への回転：正転）を阻止する第２正転阻止用ポケット７２ｇと、第２溝部７２ｆの途中であって第２正転阻止用ポケット７２ｇに近接しかつ斜めに対向するように形成され第２円筒カム７２ａの一方の回転（図１０の実線矢印の方向への回転：逆転）を阻止する第２逆転阻止用ポケット７２ｈと、第２逆転阻止用ポケット７２ｈに隣接しかつ第２逆転阻止用ポケット７２ｈより深く第２円筒カム７２ａの右端に向って傾斜して形成された第２スライド用ポケット７２ｉとを有する。なお、第２溝部７２ｆは、第１及び第２中間軸８１，８２の中間に位置し第１及び第２中間軸８１，８２に平行な平面であって第１及び第２中間軸８１，８２を含む平面に直交する平面に対して第１溝部７１ｆと面対称に形成される。
【００２６】
第２トルク発生部９２は、第２中間軸８２に相対回転不能に嵌入されかつ第２円筒カム７２ａが相対回転可能に嵌入された第２内輪部９２ａと、この第２内輪部９２ａに嵌入された第２捩りコイルばね９２ｂとを有する（図４）。第２円筒カム７２ａの内径は、第２捩りコイルばね９２ｂの外径より僅かに大きく形成され、第２内輪部９２ａの外径は、捩り荷重が掛かっていない状態の第２捩りコイルばね９２ｂの内径より僅かに大きく形成される。これにより第２捩りコイルばね９２ｂを第２内輪部９２ａの外周面に嵌入したときに、第２捩りコイルばね９２ｂが第２内輪部９２ａの外周面に適度の締付け力を与えるようになっている。また、第２捩りコイルばね９２ｂの両端をこのばねの半径方向外側に折曲げることにより、第２捩りコイルばね９２ｂの両端に一対のフック（図示せず）がそれぞれ形成され、これらのフックは、第２円筒カム７２ａの内周面に形成された一対の被係止部（図示せず）にそれぞれ係止される。更に、第２内輪部９２ａ及び第２円筒カム７２ａ間に形成され第２捩りコイルばね９２ｂが収容された第２ばね収容空間９２ｃには、グリース等の潤滑剤が充填される。この潤滑剤は第２内輪部９２ａと第２捩りコイルばね９２ｂとの間の滑りを略一定に保つため、即ち第２円筒カム７２ａ及び第２内輪部９２ａ間のトルクを所定値に保つために充填される。第２円筒カム７２ａ及び第２内輪部９２ａ間のトルクは、この実施の形態では、第２遮蔽体２２を巻取る方向に第２巻取パイプ１２が回転するように第２巻取ばね３２が一定の荷重で付勢した状態で、第２遮蔽材２２及び第２ウエイトバー１０２の自重により第２遮蔽体２２が第２巻取パイプ１２から繰出されるのを阻止する値に設定される。
【００２７】
なお、第１カム用ケース７１ｃには、第１巻取パイプ１１の一端を嵌着可能な第１筒体１１１が回転可能に嵌入され、第２カム用ケース７２ｃには、第２巻取パイプ１２の一端を嵌着可能な第２筒体１１２が回転可能に嵌入される（図１及び図４）。上記第１筒体１１１と第２筒体１１２は同一形状に形成される。また、第１ストッパ部７１及び第１トルク発生部９１は、第１中間軸８１の軸方向にスライド可能に構成される（図４）。そして、第１ストッパ部７１及び第１トルク発生部９１が第１カム用ケース７１ｃの右端に位置した状態では、後述の第１トルクリミッタ１２１に挿入された出力軸１２７が第１中間軸８１に対して相対回転不能に構成され、第１転動体７１ｅが第１ガイド溝７１ｄの右端に達して第１ストッパ部７１及び第１トルク発生部９１が左方向にスライドし第１スライド用ポケット７１ｉに収容されて、第１ストッパ部７１及び第１トルク発生部９１が第１カム用ケース７１ｃの左端に達すると、上記出力軸１２７が第１中間軸８１に対して相対回転可能に構成される。一方、第２ストッパ部７２及び第２トルク発生部９２は、第２中間軸８２の軸方向にスライド可能に構成される。そして、第２ストッパ部７２及び第２トルク発生部９２が第２カム用ケース７２ｃの右端に位置した状態では、後述の第２トルクリミッタ１２２に挿入された出力軸１２７が第２中間軸８２に対して相対回転不能に構成され、第２転動体７２ｅが第２ガイド溝７１ｄの右端に達して第２ストッパ部７２及び第２トルク発生部８２が左方向にスライドし第２スライド用ポケット７２ｉに収容されて、第２ストッパ部７２及び第２トルク発生部９２が第２カム用ケース７２ｃの左端に達すると、上記出力軸１２７が第２中間軸８２に対して相対回転可能に構成される。
【００２８】
一方、トルクリミッタ１２０は、この実施の形態では、第１回転伝達切換装置４１と第１巻取パイプ１１との間に設けられた第１トルクリミッタ１２１と、第２回転伝達切換装置４２と第２巻取パイプ１２との間に設けられトルクの発生する回転方向を第１トルクリミッタ１２１と逆にした第２トルクリミッタ１２２とからなる（図４〜図６）。上記第１トルクリミッタ１２１と第２トルクリミッタ１２２とは同一形状に形成される。このため、部品点数を低減できるので、部品管理が容易になる。そして、第１及び第２トルクリミッタ１２１，１２２は、外輪部１２３と、この外輪部１２３に相対回転可能に挿入された内輪部１２４と、外輪部１２３及び内輪部１２４間に介装されかつ所定値のトルクを発生させるトルク発生部１２５と、内輪部１２３の外輪部１２４に対する一方への相対回転を許容しかつ他方への相対回転を阻止するクラッチ部１２６とをそれぞれ有する（図４及び図５）。上記外輪部１２３の一端面には一直線状の凸条１２３ａが形成される。
【００２９】
そして、トルクリミッタ１２０を第１トルクリミッタ１２１として用いる場合、このトルクリミッタ１２０は第１筒体１１１と一体的に形成された第１リミッタケース１３１に収容され、この第１リミッタケース１３１の先端面は第１リミッタキャップ１４１により閉止される（図４）。また、第１リミッタケース１３１の奧面には上記外輪部１２３の凸条１２３ａを挿入可能な一直線状の第１凹溝１３１ａが形成され、第１リミッタキャップ１４１の端面には上記外輪部１２３の凸条１２３ａを挿入可能な一直線状の第１長孔１４１ａが形成される（図４及び図７）。一方、トルクリミッタ１２０を第２トルクリミッタ１２２として用いる場合、このトルクリミッタ１２０は第２筒体１１２と一体的に形成された第２リミッタケース１３２に収容され、この第２リミッタケース１３２の先端面は第２リミッタキャップ１４２により閉止される（図４）。また、第２リミッタケース１３２の奧面には上記外輪部１２３の凸条１２３ａを挿入可能な一直線状の第２凹溝１３２ａが形成され、第２リミッタキャップ１４２の端面には上記外輪部１２３の凸条１２３ａを挿入可能な一直線状の第２長孔１４２ａが形成される（図４及び図８）。上記第１リミッタケース１３１と第２リミッタケース１３２は同一形状に形成され、上記第１リミッタキャップ１４１と第２リミッタキャップ１４２は同一形状に形成される。このため、部品点数を低減できるので、部品管理が容易になる。更に、トルクリミッタ１２０を第１リミッタケース１３１に収容する場合、外輪部１２３の凸条１２３ａを第１リミッタキャップ１４１の第１長孔１４１ａに挿入した状態で収容し（図４及び図７）、トルクリミッタ１２０を第２リミッタケース１３２に収容する場合、外輪部１２３の凸条１２３ａを第２リミッタケース１３２の第２凹溝１３２ａに挿入した状態で収容する（図４及び図８）。これにより、第１トルクリミッタ１２１及び第２トルクリミッタ１２２のトルクの発生する回転方向が逆になる。
【００３０】
トルク発生部１２５は、出力軸１２７に相対回転可能に嵌入されかつ外輪部１２３が相対回転可能に嵌入された内輪部１２４と、この内輪部１２４に嵌入された捩りコイルばね１２８とを有する（図４及び図５）。上記出力軸１２７は、トルクリミッタ１２０を第１トルクリミッタ１２１として用いた場合、第１回転伝達切換装置４１の第１ストッパ部７１及び第１トルク発生部９１の第１中間軸８１に対してスライドすることにより第１中間軸８１に相対回転不能に連結されるか又は第１中間軸８１に対して相対回転可能に構成される（図４）。トルクリミッタ１２０を第２トルクリミッタ１２２として用いた場合、第２回転伝達切換装置４２の第２ストッパ部７２及び第２トルク発生部９２の第２中間軸８２に対してスライドすることにより第２中間軸８２に相対回転不能に連結されるか又は第２中間軸８２に対して相対回転可能に構成される。また、外輪部１２３の内径は、捩りコイルばね１２８の外径より僅かに大きく形成され、内輪部１２４の外径は、捩り荷重が掛かっていない状態の捩りコイルばね１２８の内径より僅かに大きく形成される。これにより捩りコイルばね１２８を内輪部１２４の外周面に嵌入したときに、捩りコイルばね１２８が内輪部１２４の外周面に適度の締付け力を与えるようになっている。また、捩りコイルばね１２８の両端をこのばねの半径方向外側に折曲げることにより、捩りコイルばね１２８の両端に一対のフック１２８ａ，１２８ｂがそれぞれ形成され、これらのフック１２８ａ，１２８ｂは、外輪部１２３の内周面に形成された一対の被係止部１２３ｂ，１２３ｃにそれぞれ係止される（図５）。更に、内輪部１２４及び外輪部１２３間に形成され捩りコイルばね１２８が収容されたばね収容空間１２９には、グリース等の潤滑剤が充填される。この潤滑剤は内輪部１２４と捩りコイルばね１２８との間の滑りを略一定に保つため、即ち外輪部１２３及び内輪部１２４間のトルクを所定値に保つために充填される。
【００３１】
上記所定値のトルクは、トルクリミッタ１２０を第１トルクリミッタ１２１として用いた場合、第１遮蔽体２１が第１巻取パイプ１１から全て繰出された状態から更に操作チェーン１４を一方（図３の実線矢印で示す方向）に引下げ操作して第１遮蔽体２１を更に繰出そうとしたときのトルクをいう。即ち、第１中間軸８１の一方の回転に対して、所定値未満のトルクはトルクリミッタ１２０により第１巻取パイプ１１に伝達されるけれども、所定値以上のトルクはトルクリミッタ１２０が滑って第１巻取パイプ１１に伝達されず、また第１中間軸８１の他方の回転に対して、トルクリミッタ１２０が空転して第１巻取パイプ１１に伝達されないように構成される。このため、トルクリミッタ１２０は、上記とは逆に、第１巻取パイプ１１から第１中間軸８１への他方の回転に対して所定値未満のトルクを伝達し、かつ一方の回転に対して空転するように構成される。
【００３２】
一方、上記所定値のトルクは、トルクリミッタ１２０を第２トルクリミッタ１２２として用いた場合、第２遮蔽体２２が第２巻取パイプ１２から全て繰出された状態から更に操作チェーン１４を他方（図３の破線矢印で示す方向）に引下げ操作して第２遮蔽体２２を更に繰出そうとしたときのトルクをいう。即ち、第２中間軸８２の他方の回転に対して、所定値未満のトルクはトルクリミッタ１２０により第２巻取パイプ１２に伝達されるけれども、所定値以上のトルクはトルクリミッタ１２０が滑って第２巻取パイプ１２に伝達されず、また第２中間軸８２の一方の回転に対して、トルクリミッタ１２０が空転して第２巻取パイプ１２に伝達されないように構成される。このため、トルクリミッタ１２０は、上記とは逆に、第２巻取パイプ１２から第２中間軸８２への一方の回転に対して所定値未満のトルクを伝達し、かつ他方の回転に対して空転するようになっている。
【００３３】
クラッチ部１２６は、出力軸１２７に嵌入された上記内輪部１２４と、出力軸１２７の外周面に接する円柱状の複数のローラ１３０と、複数のローラ１３０を内輪部１２４の中にそれぞれ収容するローラ収容空間１３３と、薄い金属ばね材を一体成型することにより形状された板ばね１３４とを有する（図４及び図５）。上記ローラ収容空間１３３は、図５に詳しく示すように、床部１３３ａ（図４）と、上面開口部１３３ｂと、漸狭側壁面１３３ｃと、漸広側壁面１３３ｄと、背壁面１３３ｅと、側面開口部１３３ｆとからなる。側面開口部１３３ｆは、その高さがローラ１３０の高さより僅かに大きく形成され、その幅がローラ１３０の直径より僅かに小さく形成される。更に上記板ばね１３４は、図示しないが、内輪部１２４の縁部に接する大周部と、円盤状に形成された円盤部と、各ローラ収容空間１３３の背壁面１３３ｅに接するばね基部と、ローラ１３０の中央外周面に圧接されローラ１３０を漸狭側壁面１３３ｃに押付ける押圧部とからなる。そしてローラ１３０が漸広側壁面１３３ｄに近付く方向に出力軸１２７が回転するとき、出力軸１２７及び内輪部１２４が空転モードになり、ローラ１３０が漸狭側壁面１３３ｃに近付く方向に出力軸１２７が回転するとき、出力軸１２７及び内輪部１２４がトルク伝達モードになる。
【００３４】
トルクリミッタ１２０を第１トルクリミッタ１２１として用いた場合、クラッチ部１２６は、出力軸１２７が一方、即ち第１遮蔽体２１を繰出す方向に回転するとき、出力軸１２７の回転が外輪部１２３に伝達され、出力軸１２７が他方、即ち第１遮蔽体２１を巻取る方向に回転するとき、出力軸１２７の回転が外輪部１２３に伝達されないように構成される。このため、上記とは逆に、外輪部１２３の一方への回転、即ち第１遮蔽体２１下端の第１ウエイトバー１０１を把持して繰出す方向への回転は出力軸１２７に伝達されず、外輪部１２３の他方への回転は出力軸１２７に伝達されるようになっている。一方、トルクリミッタ１２０を第２トルクリミッタ１２２として用いた場合、クラッチ部１２６は、出力軸１２７が他方、即ち第２遮蔽体２２を繰出す方向に回転するとき、出力軸１２７の回転が外輪部１２３に伝達され、出力軸１２７が一方、即ち第２遮蔽体２２を巻取る方向に回転するとき、出力軸１２７の回転が外輪部１２３に伝達されないように構成される。このため、上記とは逆に、外輪部１２３の他方への回転、即ち第２遮蔽体２２下端の第２ウエイトバー１０２を把持して繰出す方向への回転は出力軸１２７に伝達されず、外輪部１２３の一方への回転は出力軸１２７に伝達されるようになっている。
【００３５】
このように構成されたロールスクリーン１０の動作を説明する。操作チェーン１４を一方（図３の実線矢印で示す方向）に引下げ操作すると、この操作力は、プーリ２４、駆動ギヤ２３、中間ギヤ２７及び第１従動ギヤ５１を介して第１回転伝達切換装置４１に伝達される。そして、第１回転伝達切換装置４１において、第１従動ギヤ５１の一方（図３の実線矢印で示す方向）への回転力は、第１クラッチ部６１、第１中間軸８１及び第１トルクリミッタ１２１の出力軸１２７に伝達される。このとき第１トルクリミッタ１２１に作用するトルクは所定値未満であるので、第１トルクリミッタ１２１の出力軸１２７の回転力は、第１トルクリミッタ１２１のクラッチ部１２６、トルク発生部１２５、第１リミッタケース１３１及び第１筒体１１１を介して第１巻取パイプ１１に伝達され、第１遮蔽体２１が第１巻取パイプ１１から繰出される。そして、操作チェーン１４の引下げ操作を停止すると、第１回転伝達切換装置４１のロック機能により第１遮蔽体２１がその位置で一時的に固定される。なお、操作チェーン１４を一方に引下げ操作すると、この操作力は第２回転伝達切換装置４２に伝達されるけれども、第２回転伝達切換装置４２の第２クラッチ部６２が空転するため、第２巻取パイプ１２には伝達されない。
【００３６】
また、第１遮蔽体２１が第１巻取パイプ１１から全て繰出された状態から更に操作チェーン１４を一方（図３の実線矢印で示す方向）に引下げ操作すると、この操作力は、上記と同様に、プーリ２４、駆動ギヤ２３、中間ギヤ２７及び第１従動ギヤ５１を介して第１回転伝達切換装置４１に伝達される。そして、第１回転伝達切換装置４１において、第１従動ギヤ５１の一方（図３の実線矢印で示す方向）への回転力は、上記と同様に、第１クラッチ部６１、第１中間軸８１及び第１トルクリミッタ１２１の出力軸１２７に伝達される。このとき第１トルクリミッタ１２１に作用するトルクは所定値以上であるので、第１トルクリミッタ１２１の内輪部１２４と外輪部１２３との間で滑りが発生して、第１トルクリミッタ１２１の出力軸１２７の回転力は第１巻取パイプ１１に伝達されない。
【００３７】
また、途中まで繰出された第１遮蔽体２１下端の第１ウエイトバー１０１を把持して僅かに引下げると、この第１遮蔽体２１の引下げ力は、第１巻取パイプ１１、第１筒体１１１及び第１リミッタケース１３１を介して第１トルクリミッタ１２１の外輪部１２３に伝達される。このとき第１トルクリミッタ１２１の外輪部１２３が一方に回転するので、第１トルクリミッタ１２１が空転して、外輪部１２３の回転力は出力軸１２７に伝達されない。この結果、第１回転伝達切換装置４１の第１ストッパ部７１が第１巻取パイプ１１の一時的な固定を解除するロック解除機能を発揮せず、第１巻取パイプ１１の回転力は第１回転伝達切換装置４１に伝達されない。従って、第１遮蔽体２１の第１巻取パイプ１１への逆巻きを防止できるとともに、第１遮蔽体２１下端の第１ウエイトバー１０１を把持して僅かに引下げても、第１巻取パイプ１１の一時的な固定の意図しない解除を防止できる。
【００３８】
更に、操作チェーン１４を僅かに一方（図３の実線矢印で示す方向）に引下げ操作した後に操作チェーン１４から手を放すと、第１転動体７１ｅが第１正転阻止用ポケット７１ｇから離脱して、第１巻取ばね３１に蓄えられた付勢力により第１巻取パイプ１１を第１遮蔽体２１の巻取り方向に回転させる。このとき第１遮蔽体２１の巻取り方向への第１巻取パイプ１１の回転は第１トルクリミッタ１２１、出力軸１２７、第１中間軸８１及び第１トルク発生部９１を介して第１ストッパ部７１の第１円筒カム７１ａに伝達されるので、第１転動体７１ｅが第１ガイド溝７１ｄの右端に達して第１ストッパ部７１及び第１トルク発生部９１が左方向にスライドし、第１スライド用ポケット７１ｉに収容されて、第１ストッパ部７１及び第１トルク発生部９１は第１カム用ケース７１ｃの左端に達する。このため、上記出力軸１２７が第１中間軸８１に対して相対回転可能になるので、第１遮蔽体２１は第１巻取ばね３１の付勢力により第１巻取パイプ１１に巻取られ続け、第１ウエイトバー１０１がカバー型セットバー１７の室内側の端縁に取付けられた第１クッションバー１５１に当接して停止する。このとき操作チェーン１４や駆動ギヤ２３等は停止した状態に保たれる。第１カム用ケース７１ｃの左端に達した第１ストッパ部７１及び第１トルク発生部９１は、操作チェーン１４を一方に引下げ操作することにより、第１転動体７１ｅが第１溝部７１ｆの左側に向う傾斜部を転動して第１ストッパ部７１及び第１トルク発生部９１が右方向にスライドし、第１溝部７１ｆのうち最も左側に位置する部分を通過したときに、第１ストッパ部７１及び第１トルク発生部９１は第１カム用ケース７１ｃの右端に達する。
【００３９】
一方、操作チェーン１４を他方（図３の破線矢印で示す方向）に引下げ操作すると、この操作力は、プーリ２４、駆動ギヤ２３、中間ギヤ２７及び第２従動ギヤ５２を介して第２回転伝達切換装置４２に伝達される。そして、第２回転伝達切換装置４２において、第２従動ギヤ５２の他方（図３の破線矢印で示す方向）への回転力は、第２クラッチ部７２、第２中間軸８２及び第２トルクリミッタ１２２の出力軸１２７に伝達される。このとき第２トルクリミッタ１２２に作用するトルクは所定値未満であるので、第２トルクリミッタ１２２の出力軸１２７の回転力は、第２トルクリミッタ１２２のクラッチ部１２６、トルク発生部１２５、第２リミッタケース１３２及び第２筒体１１２を介して第２巻取パイプ１２に伝達され、第２遮蔽体２２が第２巻取パイプ１２から繰出される。そして、操作チェーン１４の引下げ操作を停止すると、第２回転伝達切換装置４２のロック機能により第２遮蔽体２２がその位置で一時的に固定される。なお、操作チェーン１４を他方に引下げ操作すると、この操作力は第１回転伝達切換装置４１にも伝達されるけれども、第１回転伝達切換装置４１の第１クラッチ部６２が空転するため、第１巻取パイプ１１には伝達されない。
【００４０】
また、第２遮蔽体２２が第２巻取パイプ１２から全て繰出された状態から更に操作チェーン１４を他方（図３の破線矢印で示す方向）に引下げ操作すると、この操作力は、上記と同様に、プーリ２４、駆動ギヤ２３、中間ギヤ２７及び第２従動ギヤ５２を介して第２回転伝達切換装置４２に伝達される。そして、第２回転伝達切換装置４２において、第２従動ギヤ５２の他方（図３の破線矢印で示す方向）への回転力は、上記と同様に、第２クラッチ部７２、第２中間軸８２及び第２トルクリミッタ１２２の出力軸１２７に伝達される。このとき第２トルクリミッタ１２２に作用するトルクは所定値以上であるので、第２トルクリミッタ１２の内輪部１２４と外輪部１２３との間で滑りが発生して、第２トルクリミッタ１２２の出力軸１２７の回転力は第２巻取パイプ１２に伝達されない。
【００４１】
また、途中まで繰出された第２遮蔽体２２下端の第２ウエイトバー１０２を把持して僅かに引下げると、この第２遮蔽体２２の引下げ力は、第２巻取パイプ１２、第２筒体１１２及び第２リミッタケース１３２を介して第２トルクリミッタ１２２の外輪部１２３に伝達される。このとき第２トルクリミッタ１２２の外輪部１２３が他方に回転するので、第２トルクリミッタ１２２が空転して、外輪部１２３の回転力は出力軸１２７に伝達されない。この結果、第２回転伝達切換装置４２の第２ストッパ部７２が第２巻取パイプ１２の一時的な固定を解除するロック解除機能を発揮せず、第２巻取パイプ１２の回転力は第２回転伝達切換装置４２に伝達されない。従って、第２遮蔽体２２の第２巻取パイプ１２への逆巻きを防止できるとともに、第２遮蔽体２２下端の第２ウエイトバー１０２を把持して僅かに引下げても、第２巻取パイプ１２の一時的な固定の意図しない解除を防止できる。
【００４２】
更に、操作チェーン１４を僅かに他方（図３の破線矢印で示す方向）に引下げ操作した後に操作チェーン１４から手を放すと、第２転動体７２ｅが第２正転阻止用ポケット７２ｇから離脱して、第２巻取ばね３２に蓄えられた付勢力により第２巻取パイプ１２を第２遮蔽体２２の巻取り方向に回転させる。このとき第２遮蔽体２２の巻取り方向への第２巻取パイプ１２の回転は第２トルクリミッタ１２２、出力軸１２７、第２中間軸８２及び第２トルク発生部９２を介して第２ストッパ部７２の第２円筒カム７２ａに伝達されるので、第２転動体７２ｅが第２ガイド溝７２ｄの右端に達して第２ストッパ部７２及び第２トルク発生部９２が左方向にスライドし、第２スライド用ポケット７２ｉに収容されて、第２ストッパ部７２及び第２トルク発生部９２は第２カム用ケース７２ｃの左端に達する。このため上記出力軸１２７は第２中間軸８２に対して相対回転可能になるので、第２遮蔽体２２は第２巻取ばね３２の付勢力により第２巻取パイプ１２に巻取られ続け、第２ウエイトバー１０２がカバー型セットバー１７の窓側の端縁に取付けられた第２クッションバー１５２に当接して停止する。このとき操作チェーン１４や駆動ギヤ２３等は停止した状態に保たれる。第２カム用ケース７２ｃの左端に達した第２ストッパ部７２及び第２トルク発生部９２は、操作チェーン１４を他方に引下げ操作することにより、第２転動体７２ｅが第２溝部７２ｆの左側に向う傾斜部を転動して第２ストッパ部７２及び第２トルク発生部９２が右方向にスライドし、第２溝部７２ｆのうち最も左側に位置する部分を通過したときに、第２ストッパ部７２及び第２トルク発生部９２は第２カム用ケース７２ｃの右端に達する。
【００４３】
なお、上記実施の形態では、巻取パイプを第１及び第２巻取パイプにより構成し、遮蔽体を第１及び第２遮蔽体により構成し、巻取ばねを第１及び第２巻取ばねにより構成し、回転伝達切換装置を第１及び第２回転伝達切換装置により構成したが、巻取パイプ、遮蔽体、巻取ばね及び回転伝達切換装置を単一の巻取パイプ、単一の遮蔽体、単一の巻取ばね及び単一の回転伝達切換装置により構成してもよい。また、上記実施の形態では、第１及び第２巻取パイプを、一対の支持部材を、カバー型セットバー及びブラケットを介して壁に回転可能に取付けたが、第１及び第２巻取パイプを、一対の支持部材、カバー型セットバー及びブラケットを介して窓枠又は天井に回転可能に取付けてもよい。
【符号の説明】
【００４４】
１０  ロールスクリーン
１１  第１巻取パイプ
１２  第２巻取パイプ
１３  壁
１４  操作チェーン
２１  第１遮蔽体
２２  第２遮蔽体
３１  第１巻取ばね
３２  第２巻取ばね
４１  第１回転伝達切換装置
４２  第２回転伝達切換装置
１２０  トルクリミッタ
１２１  第１トルクリミッタ
１２２  第２トルクリミッタ
１２３  外輪部
１２４  内輪部
１２５  トルク発生部
１２６  クラッチ部
【図１】
2018066233.tif 000003
【図２】
2018066233.tif 000004
【図３】
2018066233.tif 000005
【図４】
2018066233.tif 000006
【図５】
2018066233.tif 000007
【図６】
2018066233.tif 000008
【図７】
2018066233.tif 000009
【図８】
2018066233.tif 000010
【図９】
2018066233.tif 000011
【図１０】
2018066233.tif 000012